(57)【特許請求の範囲】
【請求項１】
適度な弾力性を有し任意の形状にカットされたシート本体と、前記シート本体に設けられ切込線で区切られた吊下げ部と、前記シート本体の前記吊下げ部以外の部分に設けられ前記シート本体の片面に粘着剤層が露出した粘着部が設けられ、前記粘着部の一部は、前記吊下げ部から所定長さに延出した帯状の封止部となり、前記封止部には前記吊下げ部から所定長さ離間して被貼着物の蓋部の端部に沿って折り曲げられる折曲線が設けられ、前記折曲線は、前記被貼着物の本体側面と前記蓋部の間の角部に一致して、前記本体側面と前記蓋部の両方に跨って貼着されて前記蓋部を封止し、前記吊下げ部は前記被貼着物の前記蓋部の中央に位置することを特徴とする吊下げラベル。
【発明の詳細な説明】
【技術分野】
【０００１】
この発明は、商品が収容された包装用箱等の被吊下げ物に貼着して本体と蓋部を封止すると共に、フック等に吊り下げて陳列可能にする吊下げ部が一体に設けられている吊下げラベルに関する。
【背景技術】
【０００２】
従来、商品を中に収容し店頭でフック等に吊り下げて陳列する包装用箱があり、あらかじめ吊下げ片が箱体の外側に突出して設けられていた。例えば、このような包装用箱は、一枚のブランクシートから一体的に打ち抜かれた箱体形成片から成り、箱体形成片には、平行に連接された側面と、この側面の端部に連続して形成された蓋部が設けられている。蓋部の先端には、側面内側に差し込まれて係止される差込片が形成されている。そして他の側面の端部には、側面に沿って上方へ突出する吊り下げ片が連続して設けられている。
【０００３】
また、売り場の形態により吊り下げ片を選択的に用いるものとして、特許文献１、特許文献２に開示されている包装用箱があった。特許文献１は、一枚のブランクシートから一体的に打ち抜かれた箱体形成片から成り、この箱体形成片には、平行に連接された側面と、このうちの一側面端部に形成された蓋片が設けられている。そして他の側面の蓋片側端部には、蓋片の外側面に糊付けされる外蓋片が設けられ、この外蓋片の一部をこの外蓋片に対してほぼ直角になるように切り起こして吊り下げ片が形成されるものである。
【０００４】
また、特許文献２の箱体形成片には、平行に連接された側面と，このうちの一側面端部に形成された蓋片が設けられている。そして他の側面の蓋片側端部には、側面の内側に折り返される吊り下げ部用支持板が設けられ、吊り下げ部用支持板が重ねられた側面の一部を外側に切り起こして吊下げ片が形成されるものである。
【特許文献１】特開２００１−８８８２５号公報
【特許文献２】特開２００１−２３３３２７号公報
【発明の開示】
【発明が解決しようとする課題】
【０００５】
上記従来の、吊り下げ片があらかじめ包装用箱の外側に突出して形成されているものは、運搬や保管の際に吊り下げ片のスペースを必要とするものであり、また吊り下げ片の上に積み重ねることができないことから、陳列の形態の変化に対応することができなかった。また、吊り下げ片が搬送途中において折れ曲がったり破れたりすることもあった。
【０００６】
また、特許文献１と特許文献２に開示されている包装用箱の場合、吊り下げ片は、外蓋片や側面の内側に破断線で区切られて設けられ、また吊下げ辺を引き起こした後の外蓋片や側面に開口ができないように二重構造にする必要があり、箱体形成片の構造が複雑であった。また吊り下げ片を引き起こすときは、外蓋片や側面に連続している連結部を破断しなければならず、力が必要で手間がかかり、またきれいに切れないおそれがあった。
【０００７】
この発明は、上記従来の技術の問題点に鑑みてなされたもので、吊り下げ機能と、包装容器の封止機能を有し、また構造が簡単でコストが安価な吊下げラベルを提供することを目的とする。
【課題を解決するための手段】
【０００８】
この発明は、適度な弾力性を有し任意の形状にカットされたシート本体と、前記シート本体に設けられ切込線で区切られた吊下げ部と、前記シート本体の前記吊下げ部以外の部分に設けられ前記シート本体の片面に粘着剤層が露出した粘着部が設けられ、前記粘着部の一部は、前記吊下げ部から所定長さに延出した帯状の封止部となり、前記封止部には前記吊下げ部から所定長さ離間して被貼着物の蓋部の端部に沿って折り曲げられる折曲線が設けられ、前記折曲線は、前記被貼着物の本体側面と前記蓋部の間の角部に一致して、前記本体側面と前記蓋部の両方に跨って貼着されて前記蓋部を封止し、前記吊下げ部は前記被貼着物の前記蓋部のほぼ重心上の中央に位置するように設けられている吊下げラベルである。
【０００９】
さらに、前記吊下げ部を区切る前記切込線の両端部には小さい湾曲部が形成されていると良い。
【発明の効果】
【００１０】
本発明の吊下げラベルは、包装容器に一枚貼着するだけで、吊下げ機能と、包装容器の封止機能を付与することができる。このため外観がシンプルとなり、コストも安価である。吊下げて使用するときは、簡単で手軽に吊下げ部を引き起こすことができる。また、吊下げ部を利用しない場合は、吊下げ部が邪魔にならず、外観も良好であり、店頭の陳列形態に合わせて対応することができ、便利である。
【発明を実施するための最良の形態】
【００１１】
以下、この発明の実施形態について図面に基づいて説明する。図１、図２はこの発明の第一実施形態を示すもので、この実施形態の吊下げラベル１０は、略楕円形のシート本体１２が設けられている。シート本体１２の素材は、プラスチック、紙、紙とプラスチックの複合シート等である。
【００１２】
まず、シート本体１２の表面１２ａについて説明する。シート本体１２の長手方向の一端部には、外側に半円形に突出する摘み部１４が一体に設けられている。摘み部１４を有する端部側の約半周の周縁部１６には、周縁部１６に沿って内側に切込線１８が設けられている。切込線１８の途中２箇所には、切断が途切れる連結部２０が設けられている。切込線１８の両端部には、互いに近づく方向に向かって小さく湾曲しながら折り返された湾曲部２２が設けられている。これにより、切込線１８の端部からシート本体１２への亀裂が入るのを防止している。
【００１３】
切込線１８の内側の舌片状の部分は、後述する被貼着物である包装用箱の蓋部を閉鎖する封止部２３となる。封止部２３の基端部近傍には、折曲線２４が設けられている。折曲線２４は、封止部２３の突出方向に対してほぼ直角に交差する破断線であり、ほぼ等間隔に４本が設けられている。
【００１４】
シート本体１２の、周縁部１６と切込線１８に囲まれた湾曲した帯状の部分は、吊下げ部２６となる。吊下げ部２６以外は粘着部２８であり、シート本体１２の裏面１２ｂに粘着剤が塗布された粘着層が露出し、図面上斜線を付した部分は粘着しない部分である。粘着部２８の粘着剤には、未使用時には剥離紙が貼り付けられている。粘着剤は、粘着部２８のみに部分塗工してもよく、またシート本体１２の裏面１２ｂ全面に粘着剤を塗工した後、図面上斜線を付した吊下げ部２６に、糊殺し処理を施して粘着性をなくしても良い。
【００１５】
次に、この実施形態の吊下げラベル１０の使用方法について説明する。図２に示すように被貼着物は商品が入れられた包装用箱３０である。包装用箱３０は、一枚の紙製等のブランクシートを打ち抜いた箱体形成片を、所定の折罫線に沿って折り畳み、糊付けして組み立てるものである。包装用箱３０には、筒状に組み立てられた４枚の側面３０ａと、側面３０ａの上方の開口を閉鎖する蓋部３０ｂが設けられている。蓋部３０ｂの一端部は一枚の側面３０ａに連なり、蓋部３０ｂの対向する一端部は自由端となっている。そして、蓋部３０ｂの自由端を折り曲げて、側面３０ａの上方の開口を閉じる。
【００１６】
吊下げラベル１０は、裏面１２ｂの剥離紙を剥がして粘着剤層を露出させた後、側面３０ａと蓋部３０ｂの間の封止する角部に、封止部２３の折曲線２４の４本のうちいずれかが一致するようにして、包装用箱３０に貼着する。これにより、包装用箱３０の蓋部３０ｂは側面３０ａに封止され、不用意な開封や改ざんを防止する。
【００１７】
また、店頭で吊下げ式に陳列するときは、吊下げラベル１０の切込線１８に設けられた連結部２０を破断し、摘み部１４を保持して、吊下げ部２６を包装用箱３０の蓋部３０ｂから引き起こす。そして、吊下げ部２６の内側に形成された空間に、フック等を差し込んで吊下げる。
【００１８】
この実施形態の吊下げラベル１０によれば、簡単な形状でコストが安価であり、包装用箱３０に一枚貼着するだけで、吊下げ機能と、包装用箱３０の封止機能を付与することができる。このため、外観がシンプルで取り扱い工数も削減することができる。連結部２０を破断して吊下げ部２６を引き起こすときは、シート本体１２が薄いため弱い力で連結部２０を破断することができ、簡単できれいに引き起こすことができる。また、吊下げ部２６を利用しなくても封止用のラベルとして外観が良好であり、店頭の陳列形態に合わせて対応することができ便利である。封止部２３には折曲線２４が設けられ、包装用箱３０の、蓋部３０ｂの自由端と側面３０ａの間の角部に密着して折れ、確実に封止することができる。
【００１９】
次にこの発明の第二実施形態について図３に基づいて説明する。この実施形態の吊下げラベル３２は、帯状に粘着部３４が設けられ、粘着部３４の長手方向の一端部は封止部３５となり、４本の折曲線３６が、長手方向に対してほぼ直角に設けられている。粘着部３４の反対側の約半分に位置する側縁部には、略半円形の吊下げ部３８が、長手方向に交差する一方向に突出して設けられている。吊下げ部３８の裏面には粘着層が露出せず、先端には、摘み部４０が一体に形成されている。吊下げ部３８の内周縁は、屋根形の切込線４２で形成され、切込線４２の２箇所には連結部２０が設けられている。切込線４２の両端部には、湾曲部２２が互いに近づく方向へ向かって設けられている。切込線４２の内側部分は、粘着部３４から続いて裏面に粘着剤層が露出している。
【００２０】
この実施形態の吊下げラベル３２の使用方法は、帯状の粘着部３４を、包装用箱３０の蓋部３０ｂの中心を横断するように貼着する。このとき、粘着部３４の折曲線３６が蓋部３０ｂの自由端と側面３０ａの間の角部に一致するようにし、蓋部３０ｂの自由端は側面３０ａに封止される。吊下げラベル３２の粘着部３４の他方の端部は包装用箱３０の蓋部３０ｂの中心付近に達している。そして、吊下げ部３８を引き起こすと、吊下げ部３８は蓋部３０ｂのほぼ中心付近に立設される。
【００２１】
この実施形態の吊下げラベル３２によれば、包装用箱３０の蓋部３０ｂのほぼ中央付近に吊下げ部３８が設けられるため、吊下げて陳列したときに吊下げ部３８が重心上に位置してバランスが良く、また包装用箱３０が垂直に下げられた状態で陳列することができる。
【００２２】
なお、この実施形態の吊下げラベル３２は、上記の実施形態に限定されず、例えば図４に示すように粘着部３４の内側に、吊下げ部３８の両端部が位置していても良い。この吊下げラベル３２は、吊下げ部３８の外周縁に沿って一対の切込線４４が粘着部３４の内側に達して形成され、切込線４４の両端部には湾曲部２２が互いに離れる方向に形成されている。吊下げ部３８の内周縁を形成する切込線４２も、切込線４４に対して平行に、粘着部３４の内側に達して形成され、切込線４２の両端部には、湾曲部２２が互いに近づく方向に形成されている。
【００２３】
図４に示す吊下げラベル３２によっても、図３に示す実施形態と同様の使用法で、同様の効果を有するものである。
【００２４】
次にこの発明の第三実施形態について図５に基づいて説明する。この実施形態の吊下げラベル４６は、シート本体１２の一側縁部が直線状に形成され、この直線に対向する他方の側縁部がドーム状に形成されている。直線で形成された側縁部から一定幅の矩形の部分は、粘着部４８となる。粘着部４８以外の部分は粘着剤層が露出しない吊下げ部５０となる。吊下げ部５０の内周縁は、吊下げ部５０側に湾曲する半円形の切込線５２で形成され、切込線５２の途中２箇所には連結部２０が設けられている。
【００２５】
切込線５２の内側は、封止部５１となり、封止部５１の突出方向に対してほぼ直角に、４本の折曲線５３が互いに平行に設けられている。切込線５２の両端部には、湾曲部２２が互いに近づく方向へ向かって設けられている。
【００２６】
吊下げ部５０の突出する先端の少し内側には、一部に連結部２０が設けられている円形の切込線５４が形成され、フック等に挿通する穴部が形成可能である。
【００２７】
この実施形態の吊下げラベル４６の使用方法は、矩形の粘着部４８を、包装用箱３０の側面３０ａに、蓋部３０ｂの自由端との境界に沿うように貼着する。このとき、切込線５２の内側の封止部５１は包装用箱３０の蓋部３０ｂを閉鎖する。そして切込線５２の連結部２０を破断し引き起こす。これにより、吊下げ部５０は蓋部３０ｂの端縁部から立ち上がり、フック等に吊下げるときは、フックを切込線５２または切込線５４の内側に差し込む。
【００２８】
この実施形態の吊下げラベル４６によれば、包装用箱３０の側面３０ａに広い面積で確実に貼着され、蓋部３０ｂには小さい面積で目立たないように貼着されている。このため、包装用箱３０の後ろ側の側面３０ａに貼着することにより消費者から吊下げラベル４６を目立たなくすることができる。
【００２９】
次にこの発明の第四実施形態について図６に基づいて説明する。この実施形態の吊下げラベル５６は、ほぼ円形の吊下げ部５８が設けられ、吊下げ部５８の内周縁は、円形の吊下げ部５８外周縁の同心円である切込線６０で設けられている。切込線６０の一部が切り残され、切込線６０の切り残された端部には、湾曲部２２が互いに近づく方向に形成されている。吊下げ部５８の、湾曲部２２と反対側の先端部には、摘み部６１が一体に設けられている。
【００３０】
吊下げ部５８の切り残された端部に連続して、帯状の粘着部６２が外側に延出して設けられている。粘着部６２の端部は封止部６３となり、粘着部６２の長手方向に対してほぼ直角に４本の折曲線６４が、互いに平行に設けられている。ここで、吊下げ部５８は、切込線６０の下端部から、粘着部６２の延出方向に対してほぼ直角な仮想直線で区切られている。吊下げ部５８以外の部分には、裏面に粘着剤層が露出している。
【００３１】
この実施形態の吊下げラベル５６の使用方法は、帯状の粘着部６２を、包装用箱３０の蓋部３０ｂの中心を横断するように貼着する。このとき、粘着部６２の折罫線６４が蓋部３０ｂの自由端と側面３０ａの間の角部に一致するようにし、蓋部３０ｂの自由端は側面３０ａに封止される。吊下げラベル５６の粘着部６２の、他方の端部は包装用箱３０の蓋部３０ｂの中心付近に達している。そして、吊下げ部５８を引き起こすと、吊下げ部５８は蓋部３０ｂの中心付近に立設される。
【００３２】
この実施形態の吊下げラベル５６によれば、包装用箱３０の蓋部３０ｂのほぼ中央付近に吊下げ部５８が設けられるため、吊下げて陳列したときにバランスが良く、また包装用箱３０が垂直に下げられた状態で陳列することができる。
【００３３】
なお、この実施形態の吊下げラベル５６は、上記の実施形態に限定されず、例えば図７に示すように吊下げ部５８と粘着部６２の境界付近に粘着補助部６６が設けられてもよい。粘着補助部６６は、粘着部６２の基端部付近の側方に広がって設けられ、粘着補助部６６の形状は、粘着部６２の長手方向に対してほぼ直角の方向に長い長丸形である。吊下げ部５８の両端部は、粘着補助部６６の内側に位置している。吊下げ部５８の外周縁に沿って一対の所定長さの切込線６８が粘着補助部６６の内側に達して形成され、切込線６８の両端部には、湾曲部２２が互いに離れる方向に形成されている。吊下げ部５８の内周縁を形成する切込線６０も、切込線６８に沿いながら粘着補助部６６の内側に達して形成され、切込線６０の両端部には、湾曲部２２が互いに近づく方向に形成されている。
【００３４】
図７に示す吊下げラベル５６によっても、図６に示す実施形態と同様の使用方法で、同様の効果を有するものである。さらに、粘着補助部６６が設けられているため、包装用箱３０の蓋部３０ｂへの接着面積が大きくなり、確実に貼着され、重い商品にも対応することができる。
【００３５】
次にこの発明の第五実施形態について図８に基づいて説明する。この実施形態の吊下げラベル７０は、角部が丸められた矩形の粘着補助部７２と、粘着補助部７２の一辺の中心から外側に延出する帯状の粘着部７４が一体に設けられている。粘着部７４の先端部は封止部７５となり、４本の折曲線７６が、長手方向に対してほぼ直角に設けられている。粘着補助部７２の内側には、半円形で粘着剤層が露出していない吊下げ部７８が設けられている。吊下げ部７８の外周縁は粘着部７４と反対側に湾曲する半円形の切込線８０で形成され、切込線８０の突出する先端には、突出方向に向かって小さい半径の湾曲切込線８０ａが連続して形成されている。湾曲切込線８０ａの内側は、摘み部８２となる。切込線８０の、湾曲切込線８０ａを挟んだ２箇所には連結部２０が設けられている。切込線８０の両端部には、湾曲部２２が互いに離れる方向ヘ向かって設けられている。吊下げ部７８の内周縁は、切込線８０の同心円である切込線８４が設けられ、切込線８０と同様に半円形に形成されている。切込線８４の両端部には、湾曲部２２が互いに近づく方向に形成されている。切込線８４の中心には、連結部２０が設けられている。
【００３６】
この実施形態の吊下げラベル７０の使用方法は、帯状の粘着部７４を、包装用箱３０の蓋部３０ｂの中心を横断するように貼着する。このとき、粘着部７４の折罫線７６が蓋部３０ｂの自由端と側面３０ａの間の角部に一致するようにし、蓋部３０ｂの自由端は側面３０ａに封止される。そして粘着部７４に連続する矩形の粘着補助部７２は、包装用箱３０の蓋片３０ｂのほぼ中央に貼着される。そして、吊下げ部７８を引き起こすと、吊下げ部７８は蓋部３０ｂの中心付近に立設される。
【００３７】
この実施形態の吊下げラベル７０によれば、包装用箱３０の蓋部３０ｂのほぼ中央付近に吊下げ部７８が設けられるため、吊下げて陳列したときにバランスが良く、また包装用箱３０が垂直に下げられた状態で陳列することができる。また、粘着補助部７２が大きい面積を有して蓋部３０ｂに貼着されているため、取り付け強度が高く、重い商品にも対応する事ができる。
【００３８】
なお、この実施形態の吊下げラベル７０は、上記の実施形態に限定されず、図９に示すように吊下げ部７８の摘み部８２先端が粘着補助部７２から外側に突出していてもよい。摘み部８２の、粘着補助部７２内側に位置する部分は、一対の湾曲切込線８０ａで区切られている。一対の湾曲切込線８０ａには、各々連結部２０が設けられている。
【００３９】
図９に示す吊下げラベル７０によっても、図８に示す実施形態と同様の使用方法で、同様の効果を有するものである。さらに、吊下げ部７８の摘み部８２先端が粘着補助部７２の外側に突出しているため、吊下げ部７８を引き起こすときに掴みやすく、便利である。
【００４０】
なお、この発明の吊下げラベルは、上記各実施形態に限定されるものではなく、吊り下げ部の形状は半円や楕円以外に三角や四角など、自由に設計可能である。また、粘着部や粘着補助部の形状、折曲線の数や形状も、適宜変更可能である。シート本体の素材や厚みは、適度な折り曲げ性と耐久性、引っ張り強度を有し、確実に吊下げられるものであれば自由に変更可能である。被貼着物である包装用箱の素材は限定されず、包装用箱の素材に合わせて粘着剤の種類を選択することができる。
【図面の簡単な説明】
【００４１】
【図１】この発明の第一実施形態の吊下げラベルの表面を示す正面図（ａ）と裏面を示す背面図（ｂ）である。
【図２】この実施形態の吊下げラベルの使用状態を示す斜視図である。
【図３】この発明の第二実施形態の吊下げラベルの裏面を示す背面図である。
【図４】この実施形態の吊下げラベルの変形例の裏面を示す背面図である。
【図５】この発明の第三実施形態の吊下げラベルの裏面を示す背面図である。
【図６】この発明の第四実施形態の吊下げラベルの裏面を示す背面図である。
【図７】この実施形態の吊下げラベルの変形例の裏面を示す背面図である。
【図８】この発明の第五実施形態の吊下げラベルの裏面を示す背面図である。
【図９】この実施形態の吊下げラベルの変形例の裏面を示す背面図である。
【符号の説明】
【００４２】
１０  吊下げラベル
１２  シート本体
１４  摘み部
１８  切込線
２０  連結部
２２  湾曲部
２３  封止部
２４  折曲線
２６  吊下げ部
２８  粘着部
３０  包装用箱
３０ａ  側面
３０ｂ  蓋部
【図１】
0004416169.tif 000002
【図２】
0004416169.tif 000003
【図３】
0004416169.tif 000004
【図４】
0004416169.tif 000005
【図５】
0004416169.tif 000006
【図６】
0004416169.tif 000007
【図７】
0004416169.tif 000008
【図８】
0004416169.tif 000009
【図９】
0004416169.tif 000010